(57)【要約】      （修正有）【課題】イベントの装飾用照明装置として、或いはオフィスや店舗、住宅のリビングルーム、応接室、寝室などの装飾用照明装置として使用され、快適な空間を創造する。【解決手段】透明乃至光透過性を備え湾曲面に造影用絵柄を設けた造影体２と、前記造影体２に向かって光を斜め方向に照射する光源３と、前記光源３から照射され造影体２を透過した光が影絵投影面４に向かって通過する開口部５０を設けたカバー５とを備え、前記開口部５０を通過した光と陰影とによって影絵投影面４に影絵を結像させる。【選択図】図１
2006302727.tif 000002
【特許請求の範囲】
【請求項１】
透明乃至光透過性を備え湾曲面に造影用絵柄を設けた造影体と、前記造影体に向かって光を斜め方向に照射する光源と、前記光源から照射され造影体を透過した光が影絵投影面に向かって通過する開口部を設けたカバーとを備え、前記開口部を通過した光と陰影とによって影絵投影面に影絵を結像させることを特徴とする装飾用影絵照明装置。
【請求項２】
前記カバーは、影絵投影面の下方に対向して設けられた背面板と、該背面板に連続して設けられる光透過性を備えた前シェードと、前記背面板と前シェードを上方から覆う光透過性を備えた天シェードとからなり、前記背面板の上端部と天シェードの後端部をともに切り込んだ開口部を設け、前記光源と造影体が前記カバーによって覆われ、前記光源から照射され造影体を透過した光と陰影が前記開口部を通過して、背面板の後方に位置する影絵投影面に垂直方向に伸びる影絵を結像させるように光源と造影体が配置されてなることを特徴とする請求項１記載の装飾用影絵照明装置。
【請求項３】
前記光源は、逆Ｕ字状のフィラメントを備えてなることを特徴とする請求項１又は２記載の装飾用影絵照明装置。
【請求項４】
前記影絵装置とともにライト及びブラックライトの何れか又は両方をカバー内に備え、前記ブラックライトを備えた場合は、前シェードの内周面に塗布した蛍光物質にブラックライトを照射して発光させることを特徴とする請求項１、２又は３記載の装飾用影絵照明装置。
【請求項５】
請求項１〜４記載の装飾用影絵照明装置において、影絵の原画及び原画の縮尺を入力装置によってコンピュータに入力するステップと、ファイル中の座標に原画をプロットするステップと、前記原画をプロットしたファイル中の座標を所定の縮尺に縮小変形させるステップと、前記の縮小変形された座標上の絵を出力装置によって透明フィルム又は造影体に印刷するステップと、透明フィルムに印刷する場合は印刷された透明フィルムを造影体に貼り付けるステップと、を備えたことを特徴とする造影用絵柄の製造方法。
【発明の詳細な説明】
【技術分野】
【０００１】
本発明は、イベントの装飾用照明装置として、或いはオフィスや店舗、住宅のリビングルーム、応接室、寝室などの装飾用照明装置として使用され、快適な空間を創造する装飾用影絵照明装置に関するものである。
【背景技術】
【０００２】
従来、照明器具としては、一般に蛍光灯や白熱灯等が直接照明ないし間接照明として用いられており、これらは専ら部屋を明るくすることを主目的とすることが多かった。一方、影絵装置としては、特許文献１に示すように握持棒に造形影絵板を取り付けた影絵用具を光を遮るようにかざして影絵を映す遊戯具は既に開示されている。また、特許文献２に示すように、造影体が何個かに分割され、光線に対して隔てて設置することによってシャープな影絵を得る装置が開示されている。しかし、前者の影絵用具は遊戯具として子供らが影絵を楽しむことができ、後者はシャープな影絵を得ることを目的とするものの、装飾用照明器具としての機能が備わっていない点で本発明とは基本的に異なる。
【０００３】
【特許文献１】実開昭５８−７４９８９号公報
【特許文献２】特開平１１−２４４５４７号公報
【発明の開示】
【発明が解決しようとする課題】
【０００４】
前述のように従来の影絵装置は、遮光性の造影物体に光を照射して、光の照射方向に対して直角に設けられた投影面に影絵を映し出すものが一般的であり、この方式で投影面に対して斜め方向に光を照射して投影面に長く引き延ばした状態の影絵を投影しようとすると、光源から遠く離れる程光が拡散して影絵の輪郭が惚けてしまう上、形状が変形して正常な影絵が得られなくなるという問題があった。
【０００５】
本願発明者は、光と影絵を取り入れて且つ芸術性を備えた照明装置について鋭意研究した結果、できるだけ光を垂直に長く出すために、透明乃至光透過性を備え湾曲面に造影用絵柄を設けることを知見して本願発明に想到するに至ったものであり、本発明は、イベントの装飾用照明器具として、或いはオフィスや店舗、住宅のリビングルーム、応接室、寝室などの装飾用照明器具として使用され、快適な空間を創造する影絵を投影する装飾用照明装置（装飾用影絵照明装置と略称する）及び造影用絵柄の製造方法を提供することを課題とするものである。
【課題を解決するための手段】
【０００６】
本発明は、前記の課題を解決するために、本発明は、透明乃至光透過性を備え湾曲面に造影用絵柄を設けた造影体と、前記造影体に向かって光を斜め方向に照射する光源と、前記光源から照射され造影体を透過した光が影絵投影面に向かって通過する開口部を設けたカバーとを備え、前記開口部を通過した光と陰影とによって影絵投影面に影絵を結像させることを特徴とする装飾用影絵照明装置とする（請求項１）。
【０００７】
また、前記の課題を解決するために、本発明は、前記カバーは、影絵投影面の下方に対向して設けられた背面板と、該背面板に連続して設けられる光透過性を備えた前シェードと、前記背面板と前シェードを上方から覆う光透過性を備えた天シェードとからなり、前記背面板の上端部と天シェードの後端部をともに切り込んだ開口部を設け、前記光源と造影体が前記カバーによって覆われ、前記光源から照射され造影体を透過した光と陰影が前記開口部を通過して、背面板の後方に位置する影絵投影面に垂直方向に伸びる影絵を結像させるように光源と造影体が配置されてなることを特徴とする前記の装飾用影絵照明装置とすることが好ましい（請求項２）。
【０００８】
また、前記の課題を解決するために、本発明は、前記光源は、逆Ｕ字状のフィラメントを備えてなることを特徴とする前記の装飾用影絵照明装置とすることが好ましい（請求項３）。
【０００９】
また、前記の課題を解決するために、本発明は、前記影絵装置とともにライト及びブラックライトの何れか又は両方をカバー内に備え、前記ブラックライトを備えた場合は、前シェードの内周面に塗布した蛍光物質にブラックライトを照射して発光させることを特徴とする前記の装飾用影絵照明装置とすることが好ましい（請求項４）。
【００１０】
また、前記の課題を解決するために、本発明は、前記の装飾用影絵照明装置において、影絵の原画及び原画の縮尺を入力装置によってコンピュータに入力するステップと、ファイル中の座標に原画をプロットするステップと、前記原画をプロットしたファイル中の座標を所定の縮尺に縮小変形させるステップと、前記の縮小変形された座標上の絵を出力装置によって透明フィルム又は造影体に印刷するステップと、透明フィルムに印刷する場合は印刷された透明フィルムを造影体に貼り付けるステップと、を備えたことを特徴とする造影用絵柄の製造方法とすることが好ましい（請求項５）。
【発明の効果】
【００１１】
本発明の装飾用影絵照明装置及び造影用絵柄の製造方法によれば、前記のように構成することによって、従来のように造影用絵柄をそのまま影絵投影面に映し、投影面の裏側から影絵を鑑賞するのではなく、造影体を透過した光と陰影が影絵投影面に向かって照射され、影絵投影面に影絵を垂直方向に長く映し出し、鑑賞する側はその光と陰影を通して影絵を鑑賞することになるので、装飾用影絵照明装置に比較的近いところでは明るく影絵が鮮明に表れ、上方に遠ざかるに従って薄くなり、光と陰のコントラストが絶妙であって、幻想的で極めて芸術的観点からも優れた効果を奏する。また、装飾用影絵照明装置を覆うカバー内にライト又はブラックライトを備えたものは、カバーがランプシェードの役目を果たすので、行灯としても使用できる効果を奏する。造影用絵柄の製造方法によれば、所望の影絵を得るために簡単に基絵となる造影用絵柄を作成できるので便利である。本発明の装飾用影絵照明装置は構造もシンプルで経済的にも優れており、プロジェクターを使用しないのでファンの音もなく、メンテナンスフリーな点からも優れた効果を奏する。
【発明を実施するための最良の形態】
【００１２】
本発明を実施するための最良の形態（以下「実施の形態」と称する）について、以下に詳細に説明する。図１は、本発明の実施の形態にかかる装飾用影絵照明装置の一例を示した斜視図であり、図２は、カバーの内部を示す展開図であり、図３は、光源のランプを例示する説明図であり、図４は、実施例の装飾用影絵照明装置を使用した状態を示す説明図である。
【００１３】
図１において、１は、前記装飾用影絵照明装置であって、透明乃至光透過性を備えた湾曲面２０に造影用絵柄２１を設けた造影体２と、前記造影体２に向かって光を照射する光源３と、前記光源３から照射され造影体２を透過した光が影絵投影面４に向かって通過する開口部５０を設けたカバー５とを備えている。前記カバー５は、影絵投影面４に対向してその下方に設けられた背面板５１と、該背面板に連続して設けられる光透過性を備えた前シェード５２と、前記背面板と前シェード５２を上方から覆う光透過性を備えた天シェード５３とからなり、前記背面板の上端部と天シェードの後端部にそれぞれ設けられた切り込み（５０ａ，５０ｂ）が開口部５０を構成している。そして前記光源３から照射され造影体２を透過した光と陰影が前記開口部５０を通過して、背面板５１の後方に位置する影絵投影面４に垂直方向に伸びる影絵を結像させるように、光源３と造影体２が台座６の上に配置され、カバー５によって覆われてなる。
【００１４】
この実施の形態における造影体２は、透明乃至光透過性を備えた板状体からなり、光源から発した光が照射される中間部分から上方部分にかけて湾曲している。そして湾曲した部分がカバー５の内側を向くようにして背面板５１の下方部に取り付けられている。造影体２の材質は特に限定されるものではないが、成形しやすいプラスチックであって、例えば、ポリアクリレート、ポリ塩化ビニル、ポリスチロール、ポリエチレン、ポリプロピレン、ポリカーボネート、ポリエチレンテレフタレート等が好ましい。特に透明性、成形性、寸法安定性に優れていることからポリメタアクリレート、ポリ塩化ビニル、ポリスチロールが特に好ましい。前記プラスチックを押出成形、射出成形、圧縮成形、注型成形等によって所定の形状に成形する。平板状のものを後加工によって湾曲状に成形してもよい。
【００１５】
前記造影体２の湾曲面２０に造影用絵柄２１を設けるには、例えば造影体２の湾曲面２０に直接インクジェット方式や転写方式で印刷するか、吹き付け方式や手書き等してもよい。或いは、透明のフィルムに造影用絵柄２１を予め印刷したものを造影体２の湾曲面２０に貼り付けてもよい。この場合、貼り付け用の接着剤や粘着剤は透明性を阻害しないもので、且つ造影体２に移行しにくいものを選択することが好ましい。また、造影用絵柄２１に使用するインク乃至塗料は、陰影を形成する遮光性の絵柄部分には隠ぺい力の強い例えば二酸化チタンを主体としたものを使用する。二酸化チタンはアナターゼ型とルチル型の何れでもよいが、変色性と白色度を重視する場合はルチル型が好ましい。光透過部分に着色したい場合は透明着色材、例えば有機系顔料乃至染料を用いることが好ましい。このように透明に着色した造影用絵柄２１を透過した着色光によって、より美しく見栄えがする影絵が得られる。また、図２において、造影用絵柄２１は分かり易くするために黒色に着色してあるが、実際はチタン白系塗料により白色に着色してある。
【００１６】
本発明の実施の形態にかかる装飾用影絵照明装置１では、造影体２を透過した光と陰影が影絵投影面４に対して斜め上方に向かって照射され、影絵投影面４に影絵を垂直方向に長く映し出すので、造影用絵柄２１と影絵投影面４に投影された影絵とは自ずから形状が相違する。即ち、影絵投影面４に投影された影絵は、影絵投影面４の上方に行くほど引き伸ばされるので、上方へ行くほど縮小するように原画を変形した造影用絵柄２１を準備する必要がある。造影用絵柄２１製造の一例として、例えば、図５に示すようにＹ軸が片対数目盛のように一端に向かって漸次縮小された方形の升目（ａ）を造影体２の湾曲面２０に、Ｙ軸が影絵の縦方向になるように且つ影絵の上方に縮小された升目が向くように貼り付けたとき、影絵投影面４に正方形の升目（ｂ）からなる影絵が投影されたとすると、影絵の原画を前記と同一縮尺で縮小したものを造影用絵柄２１として使用すれば影絵は原画と同様の形状に映し出されることとなる。前記造影用絵柄２１のＹ軸上の升目の長さと、これに対応する影絵の升目の長さの比がそれぞれの升目位置における縮尺となる。
【００１７】
以上のことから、コンピュータを使用して、原画と同様な形状の影絵を映し出す造影用絵柄２１を得る方法について説明する。予め、コンピュータに入力装置によって原画を表す方眼紙に相当する座標とＹ軸方向の縮尺をファイルに入力しておき、次に所望の形状の原画をスキャナー等の入力装置によってコンピュータに入力し、入力された原画を前記ファイル中の座標にプロットする。次にこのファイル中の座標を前記縮尺に従ってＹ軸方向に縮小する。前記の縮小された座標上の絵をプリンター乃至プロッター等の出力装置で透明フィルムに印刷する。この印刷された透明フィルムを造影体２の湾曲面２０にＹ軸が影絵の縦方向になるように貼り付けて造影用絵柄２１が完成する。前記透明フィルムに印刷するのに代えて造影体２の湾曲面２０に直接印刷してもよい。この造影用絵柄２１を投影すれば、影絵投影面４には原画と同様の影絵が映し出される。以上の手順をコンピュータのプログラムによって実行する。この方法によれば、縮尺が同じであれば、あらゆる原画について簡単に造影用絵柄を作成できる。手順を簡略化して説明をしたが、実際にはより正確な歪みデータに基づいてコンピュータ上で補正を加えることが好ましい。
【００１８】
次に、造影体２に向けて光を照射する光源３について説明する。この光源３に使用するライトは特に限定されるものではないが、経験上明らかになったことは、図３に示すようにフィラメント３１の形状が逆Ｕ字状のものが影絵を明瞭に映し出し好ましいということである。即ち、逆Ｕ字状のフィラメント３１において、水平フィラメント部分（ＨＦ）から発せられた光は特に影絵の横線部を明瞭に映し出し、２本の平行な垂直フィラメント部分（ＶＦ）から発せられた光は特に影絵の縦線部を明瞭に映し出す作用をなす結果、影絵全体が明瞭に映し出されることとなる。図３においてＬＤは光の方向を示す。また、光源に使用するライトは、１６V、０．７アンペア以内であることが好ましい。これ以上に明るいと影絵が結像しにくくなり、暗すぎると上方に長く光が届かなくなるおそれがある。光源に使用するライトのリフレクタ３０は鏡面に銀色塗料を塗布することによって反射光を和らげて影絵のムラの発生を防止することが好ましい。鏡面が強すぎると影絵の中に光源の光が映りムラが発生するおそれがあるからである。
【００１９】
カバー５は、前記のように、背面板５１と、該背面板に連続して設けられる光透過性を備えた前シェード５２と、前記背面板と前シェード５２を上方から覆う光透過性を備えた天シェード５３とからなる。背面板５１は、木材やプラスチックのような保形性を有する板状体が好ましい。前シェード５２と天シェード５３は、光透過性を備えた材料、例えば、乳白色状のプラスチックシートに所望の絵模様を施こすか、絵模様を印刷した紙などを貼り合わせてもよい。本実施の形態にかかる天シェード５３は円筒を縦割りした形状であるが、この形状に限定されるものではなく多角体等でもよい。背面板５１の上端部には矩形の切り込み５０ａを設け、一方、天シェード５３の後端部には、前記切り込み５０ａと横幅がほぼ同様な台形状の切り込み５０ｂが設けられている。これらの切り込みが開口部５０を構成する。この開口部５０は、光源から照射され造影体を透過した光と陰影を開口部５０の巾に制してほぼ平行状態を維持して影絵投影面に照射する作用をなす。切り込みの大きさや形状は光源の位置や向きと密接な関係があるので、最適の影絵が投影されるように適宜調整することが好ましい。
【００２０】
次に、前シェード５２の装飾効果を高めるために、カバー内にライト及びブラックライトの何れか又は両方を備えることが好ましい。前記ブラックライト７を備えた場合は、図２に示すように、前シェード５２の内周面に蛍光物質７０を塗布し、この蛍光物質７０にブラックライト７を照射して発光させることが好ましい。ブラックライト７は、紫外線を発して、この紫外線が蛍光物質７０に当たって蛍光を発する。この蛍光を前シェード５２に、より強く反映するように、背面板５１の下方部に反射板７１を設けてもよい。
【実施例】
【００２１】
前記実施の形態にかかる装飾用影絵照明装置１を作成した。造影体２は、ポリメタアクリレート板の中央部から上方にかけて湾曲させたものを用いた。造影用絵柄は図３に示すように菖蒲の花をあしらった絵の原画をスキャナーでコンピュータに取り込み、実施の態様に記載した方法で、Y軸方向に縮小変形したものを透明性粘着剤付きの透明フィルムに印刷し、これを造影体２の湾曲面２０にY軸が影絵の縦方向になるように貼り付けた。また、合板材の表面全面に白色系の塗料を塗布したものを影絵投影面４として構成し、この影絵投影面４に近接させて前記装飾用影絵照明装置１を配置した。光源用ライトは日立製作所製１６V、０．７AのU字状フィラメントを備えたものを使用し、ブラックライトは東芝製１５Wを使用した。装飾用影絵照明装置１の周囲をやや暗くして光源のスイッチを入れると、図４に示すように影絵投影面４には垂直状の長い光とともに幻想的な影絵が映し出された。本発明の装飾用影絵照明装置は、２００５年３月１日〜４日まで東京国際展示場で開かれたライティング・フェアに出展され、同展示場に訪れた人の目を引きつけ大盛況であったことをつけ加える。
【産業上の利用可能性】
【００２２】
本発明に係る装飾用影絵照明装置は、イベントの装飾用照明装置として、或いはオフィスや店舗、住宅のリビングルーム、応接室、寝室などの装飾用照明装置として広く利用されることから極めて有用なものである。
【図面の簡単な説明】
【００２３】
【図１】本発明の実施の形態に係る装飾用影絵照明装置を例示した斜視図である。
【図２】本発明の実施の形態に係る装飾用影絵照明装置のカバーの内部を示す展開図である。
【図３】本発明の実施の形態に係る装飾用影絵照明装置の光源のランプを例示する説明図である。
【図４】実施例の装飾用影絵照明装置を使用した状態を示す説明図である。
【図５】本発明の実施の形態に係る装飾用影絵照明装置の造影用絵柄と影絵投影面に投影された影絵との関係を示す説明図である。
【符号の説明】
【００２４】
１：装飾用影絵照明装置、２：造影体、２０：湾曲面、２１：造影用絵柄、３：光源、３０：リフレクタ、３１：フィラメント、４：影絵投影面、５：カバー、５０：開口部、５０ａ，５０ｂ：切り込み、５１：背面板、５２：前シェード、５３：天シェード、６：台座、７：ブラックライト、７０：蛍光物質、７１：反射板、ＨＦ：水平フィラメント部分、ＶＦ：垂直フィラメント部分、ＬＤ：光の方向
【図１】
2006302727.tif 000003
【図２】
2006302727.tif 000004
【図３】
2006302727.tif 000005
【図５】
2006302727.tif 000006
【図４】
2006302727.tif 000007